(57)【要約】【課題】寒冷地においても使用可能としたソケットを有する空気調和機の室外機を提供する。【解決手段】室外機１００は、穴部１３が形成されている底板１２と、底板１２の下面との間に隙間部１６を介して底板１２に取り付けられ、穴部１３を介して第１の排水路を構成するソケット５０と、を有し、隙間部１６は、第１の排水路が閉塞した際、穴部１３からの排水を外部に導く第２の排水路として機能する。【選択図】図６
2014157008.tif 000002
【特許請求の範囲】
【請求項１】
穴部が形成されている底板と、
前記底板の下面との間に隙間部を介して前記底板に取り付けられ、前記穴部と連通して第１の排水路を構成するソケットと、を有し、
前記隙間部は、
前記第１の排水路が閉塞した際、前記穴部からの排水を外部に導く第２の排水路として機能するように形成されている
ことを特徴とする空気調和機の室外機。
【請求項２】
前記ソケットは、
前記底板に取り付けられる底板接続部を有しており、
前記底板接続部は、
中空で、前記底板接続部の外壁を構成し、側面視した形状が前記底板に向かって拡径する外壁部と、
一端が前記外壁部の内周面に接続され、他端が前記外壁部の他端よりも突出している壁板部と、
一端が前記外壁部の内周面に接続され、他端が前記壁板部の他端よりも突出している引っ掛け部と、を有し、
前記引っ掛け部を前記穴部に挿入し、前記壁板部の他端を前記底板の下面に当接させて、前記外壁部の他端と前記底板の下面との間に前記隙間部を形成している
ことを特徴とする請求項１に記載の空気調和機の室外機。
【請求項３】
前記隙間部は、
５ｍｍ以上に形成されている
ことを特徴とする請求項１又は２に記載の空気調和機の室外機。
【請求項４】
前記引っ掛け部には、
スリット形状の長穴が形成されている
ことを特徴とする請求項２又は請求項２に従属する請求項３に記載の空気調和機の室外機。
【請求項５】
前記第１の排水路の途中に、前記第１の排水路を横断するリブを設けている
ことを特徴とする請求項１〜４のいずれか一項に記載の空気調和機の室外機。
【請求項６】
前記ソケットは、
波形状部と円筒ストレート部とが直列に接続されて構成されたホース接続部を有している
ことを特徴とする請求項１〜５のいずれか一項に記載の空気調和機の室外機。
【請求項７】
前記ソケットは、
複数の外径の異なる円筒ストレート部が直列に接続されて構成されたホース接続部を有し、
外径が大きい方が上側に配置されている  
ことを特徴とする請求項１〜５のいずれか一項に記載の空気調和機の室外機。
【請求項８】
前記ソケットは、
波形状部と複数の外径の異なる円筒ストレート部とが直列に接続された構成されたホース接続部を有し、
上側から、前記波形状部、複数の外径の異なる円筒ストレート部のうち外径の大きい方の円筒ストレート部、複数の外径の異なる円筒ストレート部のうち外径の小さい方の円筒ストレート部の順で配置されている
ことを特徴とする請求項１〜５のいずれか一項に記載の空気調和機の室外機。
【請求項９】
前記底板は、
複数箇所に前記穴部が形成されている
ことを特徴とする請求項１〜８のいずれか一項に記載の空気調和機の室外機。
【請求項１０】
前記底板にヒーターを設けた
ことを特徴とする請求項１〜９のいずれか一項に記載の空気調和機の室外機。
【発明の詳細な説明】
【技術分野】
【０００１】
本発明は、ドレン水排水ホースを接続するためのドレン水排水ホース接続用ソケット（以下、単にソケットと称する）を有する空気調和機の室外機に関するものである。
【背景技術】
【０００２】
従来から、室外機内部で発生したドレン水を室外機外部に排水するために室外機本体と排水ホースを接続するためのソケットを有するドレン排水装置を備えた空気調和機の室外機が開示されている（例えば、特許文献１参照）。
【先行技術文献】
【特許文献】
【０００３】
【特許文献１】特開２００７−６４５０７号公報（例えば、図４等）
【発明の概要】
【発明が解決しようとする課題】
【０００４】
特許文献１に記載されているようなソケットを、冬場の寒冷地にて使用した場合、接続した排水ホースでドレン水が凍結してしまうことが起こり得る。排水ホースの途中でドレン水が凍結した状態で新たなドレン水が発生すると、逆流方向に氷が成長し、最終的には室外機の内部にまで浸入することになる。氷が室外機の内部にまで浸入、成長すると、その重みで室外機の外郭部品を変形させたり、室外機の内部に設置されている熱交換器を破損させたりなど、室外機を破損させてしまう可能性があった。そのため、寒冷地においては、ドレン水の排水ホースを接続するためのソケットの使用を禁止していた。
【０００５】
また、通常、空気調和機の室外機においては、ドレン水を排水するために、室外機の底板に排水穴が開いている。そのため、室外機を壁面設置や天吊設置をした場合、その穴から鳥や小動物が室外機の内部に侵入し、巣を作ってしまうことがあり、ドレン水の排水を邪魔してしまう。ソケットの使用が禁止されていない場合、ソケットを設置すれば、底板の穴はソケットにより塞がるので問題は解決するが、ソケットの使用が禁止されている寒冷地では、鳥や小動物の侵入を抑制することができず、有効な対策が無いという課題があった。
【０００６】
室外機を据付ける際、通常、ドレン水の排水路となる排水ホースは据付作業者の手配となる。寒冷地の場合、ソケットの使用を禁止しているため、人が通る場所の上など、どうしても排水処理をしなければならない場所に据付せざるを得ない場合、据付作業者がそれぞれ独自で排水ホースの引っかけ部を作成するなどして、排水処理を施すことがある。
【０００７】
その場合、ドレン水が氷結しにくいように排水ホースに太めのゴムチューブを排水ホースとして使用することもあるが、これに加え直径φ３２以上の塩化ビニール管を排水ホースとして使用する場合も多い。そのため、ソケットのホース接続部について、ゴムチューブもしくは塩化ビニール管どちらか一方の接続にしか対応していないと、対応していない方の排水ホースを準備した場合、接続できる排水ホースを再度準備しなくてはならず、据付作業性が悪くなってしまっていた。
【０００８】
本発明は、上記のような課題を解決するためになされたもので、寒冷地においても使用可能としたソケットを有する空気調和機の室外機を提供することを目的とするものである。
【課題を解決するための手段】
【０００９】
本発明の空気調和機の室外機は、穴部が形成されている底板と、前記底板の下面との間に隙間部を介して前記底板に取り付けられ、前記穴部と連通して第１の排水路を構成するソケットと、を有し、前記隙間部は、前記第１の排水路が閉塞した際、前記穴部からの排水を外部に導く第２の排水路として機能するように形成されているものである。
【発明の効果】
【００１０】
本発明の空気調和機の室外機によれば、ドレン水の氷結によって第１の排水路が閉塞したとしても、隙間部が第２の排水路として機能するので、寒冷地においても使用することができる。
【図面の簡単な説明】
【００１１】
【図１】本発明の実施の形態１に係る空気調和機の室外機の外観構成の一例を示す斜視図である。
【図２】本発明の実施の形態１に係る空気調和機の室外機の内部構成の一例を示す斜視図である。
【図３】本発明の実施の形態１に係る空気調和機の室外機を下方から見た状態を示す斜視図である。
【図４】本発明の実施の形態１に係る空気調和機の室外機のドレン水排水ホース接続用ソケットの構成を示す斜視図である。
【図５】本発明の実施の形態１に係る空気調和機の室外機のソケットのホース接続部の拡大図である。
【図６】本発明の実施の形態１に係る空気調和機の室外機の底板にソケットを取り付けた状態を示す側面図である。
【図７】本発明の実施の形態１に係る空気調和機の室外機のソケットの上面図である。
【図８】本発明の実施の形態２に係る空気調和機の室外機の下部を拡大して示す背面図である。
【図９】本発明の実施の形態３に係る空気調和機の室外機の底板上方を示す斜視図である。
【図１０】本発明の実施の形態１に係る空気調和機の室外機のソケットの別の構成を示す側面図である。
【図１１】本発明の実施の形態１に係る空気調和機の室外機のソケットの更に別の構成を示す側面図である。
【図１２】本発明の実施の形態１に係る空気調和機の室外機のソケットの斜視図である。
【図１３】本発明の実施の形態１に係る空気調和機の室外機の設置状態例を示す正面図である。
【発明を実施するための形態】
【００１２】
以下、図面に基づいて本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１３】
実施の形態１．
図１は、本発明の実施の形態１に係る空気調和機の室外機（以下、室外機１００と称する）の外観構成の一例を示す斜視図である。図２は、室外機１００の内部構成の一例を示す斜視図である。図１及び図２に基づいて、室外機１００の概略構成及び動作について説明する。実施の形態１に係る空気調和機は、室外機１００及び室内機（図示省略）に搭載されている要素機器（圧縮機６、熱交換器１、減圧装置、熱交換器）が配管接続されることで冷凍サイクル運転を行うようになっている。
【００１４】
（室外機１００の概略構成）
図１に示すように、室外機１００は、天井を構成する天面パネル３１、正面を構成する前面パネル３２、側面を構成する側面パネル３３、底面を構成する底板１２等によって囲われたものであって、底板１２には室外機１００を設置場所に固定するための脚部１１が設けられている。後段で詳細に説明するが、底板１２の背面側には、ドレン水排水ホース接続用ソケットが配置される。
【００１５】
図２に示すように、室外機１００の内部はセパレーター１０により送風機室５と機械室９とに仕切られている。機械室９には、圧縮機６、冷媒配管７、制御装置などが搭載されている電気品（コントロールボックス）８等が設けられている。送風機室５には、複数の入口または出口を有する熱交換器１と、プロペラファン２が取り付けられたモーター３を保持するモーターサポート４が設けられている。また、室外機１００の内部に設置される各部品（圧縮機６、熱交換器１、モーターサポート４等）は、底板１２の上に保持されている。
【００１６】
圧縮機６は、冷媒を吸引し高温高圧の状態に圧縮して冷媒配管７を介して冷媒回路に搬送するものである。電気品８は、室外機１００の動作を制御するための制御装置等を収容し、各部品への電力供給等を行ものである。
【００１７】
熱交換器１は、外気と冷媒との熱交換を行うものであって、暖房運転時には蒸発器として機能し冷房運転時には凝縮器として機能する。また、熱交換器１は、たとえば冷媒を通過させる伝熱管と、伝熱管を流れる冷媒と外気との間の伝熱面積を大きくするためのフィンとを備えており、側面側平面部１ａと角部１ｂと背面側平面部１ｃとを有するいわゆるＬ字形状に形成されている。なお、熱交換器１がＬ字状に形成された場合について例示しているが、平板状に形成されたものであってもよいし、両端に曲面領域を備えたいわゆるコの字状に形成されたものであってもよい。
【００１８】
プロペラファン２は、モーター３によって回転駆動され、熱交換器１に空気を送風するものである。プロペラファン２が動作することにより、熱交換器１の側面側平面部１ａ、角部１ｂ、背面側平面部１ｃを通過して室外機１００の内部に空気が流入し、その空気は、プロペラファン２を通過し、室外機１００の前方に流出する。
【００１９】
モーター３は、回転軸を介してプロペラファン２に連結しており、電気品８からの指令に基づいてプロペラファン２を回転駆動するものである。また、モーター３は、モーターサポート４に保持されている。モーターサポート４は、鉛直方向（矢印Ｚ方向）に延びる支柱を有するものであって、上部側が熱交換器１の上部に接続されており、下部側がボルト等により底板１２に固定されている。
【００２０】
（室外機１００の動作）
図示省略の室内機から送られた冷媒は、圧縮機６に吸入される。圧縮機６に吸入された冷媒は、圧縮機６によって圧縮された後、吐出される。圧縮機６から吐出された冷媒は、冷媒配管７を通り、熱交換器１に送られる。熱交換器１には、プロペラファン２によって空気が供給されている。例えば、冷房運転中においては、熱交換器１は凝縮器として機能するので、熱交換器１内に流入した冷媒は、プロペラファン２からの空気によって冷却され、熱交換器１を通過した空気は、熱交換器１を流れる冷媒と熱交換することで加熱される。
【００２１】
熱交換器１で冷却された冷媒は、熱交換器１から流出した後、図示省略の減圧装置に送られる。減圧装置に送られた冷媒は、減圧装置で絞られて減圧される。減圧された冷媒は、室内機の熱交換器に流入する。室内機の熱交換器に流入した冷媒は、図示省略の室内ファンから供給される空気を冷却する。この冷却した空気が、室内等の空調対象域に送られることで冷房運転が実行される。空気を冷却した冷媒は、室内機の熱交換器を流出した後、再度圧縮機６に吸入される。
【００２２】
（室外機１００の底部の詳細構成）
図３は、室外機１００を下方から見た状態を示す斜視図である。図３に基づいて、室外機１００の底部の構成について詳細に説明する。
【００２３】
図３に示すように、通常、室外機１００の底板１２には穴部１３が形成されている。そして、底板１２には、穴部１３に向かって下り傾斜がついており、この傾斜により室外機１００の内部で発生したドレン水や送風機室５に浸入した雨水を穴部１３から排水するようになっている。底板１２に穴部１３に向かって下り傾斜をつけ、底板１２に水を長時間滞留させないことで底板１２上での水の凍結を抑制し、また底板１２での錆発生を抑制することができる。また、室外機１００では、穴部１３を底板１２の一ヶ所に形成することで、集中排水できるようにしている。
【００２４】
（ソケット５０の詳細構成）
図４は、室外機１００のドレン水排水ホース接続用ソケット（以下、ソケット５０と称する）の構成を示す斜視図である。図５は、室外機１００のソケット５０のホース接続部５１の拡大図である。図６は、室外機１００の底板１２にソケット５０を取り付けた状態を示す側面図である。図７は、室外機１００のソケット５０の上面図である。図４〜図７に基づいて、ソケット５０について説明する。なお、以下の説明において、ソケット５０が底板１２に取り付けられた状態において下側の端部となる方を「一端」、上側の端部となる方を「他端」と称するものとする。
【００２５】
ソケット５０は、底板１２の背面側に配置される。具体的には、ソケット５０は、底板１２に形成されている穴部１３に取り付けられることで、底板１２に配置される。図３で説明したように、穴部１３は底板１２の１ヶ所に形成されているので、ソケット５０の個数も１個で済む。そのため、低コストとなり、据付時も排水処理をする箇所が１ヶ所で済むことになるため据付作業性が向上する。
【００２６】
ソケット５０は、排水ホースが接続されるホース接続部５１と、底板１２に取り付けられる底板接続部５２と、で構成されている。ソケット５０は、例えば、樹脂などで形成されている。また、ソケット５０は、穴部１３とともに「第１の排水路」を構成する。
【００２７】
ホース接続部５１は、流入口５１ａ及び流出口５１ｂを有する円筒状に構成され、内部を水が流れるようになっている。つまり、ホース接続部５１は、図５に示すように、波形状部１９と円筒ストレート部２０が直列に接続された構成されている。そして、ソケット５０を底板１２に取り付けた状態においては、波形状部１９が上側に、円筒ストレート部２０が下側になる。
【００２８】
波形状部１９は、下側から上側に大きくなる方向にテーパーがかかっており、この形状が複数回繰り返されることで波形状となっている。ゴムチューブを排水ホースとして波形状部１９に接続する場合、波形状部１９の下側が小さく、テーパーに沿ってゴムチューブが入れやすくなり、逆に引き抜く場合は、上側が大きくなっているため、これが抵抗となり抜けにくくなる。なお、波形状部１９のテーパー形状の繰り返し個数やテーパー角度などを特に限定するものではない。
【００２９】
ところで、据付現場において使用するホースには、ゴムチューブと塩化ビニール管がある。ゴムチューブを排水ホースとして使用する場合には、上記のように、ゴムチューブを波形状部１９まで挿入すればよい。一方、塩化ビニール管を排水ホースとして使用される場合は、塩化ビニール管を円筒ストレート部２０まで挿入すればよい。これにより、据付作業者がどちらのホースを準備してきた場合でも、ソケット５０に接続が可能となり、据付作業性が向上する。
【００３０】
また、円筒ストレート部２０に流出口５１ｂの方向から流入口５１ａに向かって広がる方向にテーパーをかけてもよい。これにより接続される管の挿入性が向上する。
【００３１】
図１０は、室外機１００のソケット５０の別の構成を示す側面図である。図１１は、室外機１００のソケット５０の更に別の構成を示す側面図である。図１０及び図１１に基づいて、ソケット５０の他の構成について説明する。なお、上側、下側とは、ソケット５０が室外機１００に取り付けられた状態において、それぞれ上側、下側を意味している。
【００３２】
図４では、波形状部１９が上側（流入口側）に設けられ、円筒ストレート部２０が下側に設けられ、これらが直列に接続されたホース接続部５１を例に示したが、図１０に示すように、波形状部１９の代わりに、円筒ストレート部２０の外径とは異なる外径の円筒ストレート部２０ａを設け、これらが直列に接続してホース接続部５１を構成してもよい。この場合、外径が大きい円筒ストレート部２０ａを上側（流入口側）に接続するとよい。ホース接続部５１をこのような構成とすると、塩化ビニール管の２パターンの径に対応することが可能となり、据付作業性がより向上する。
【００３３】
なお、図１０ではホース接続部５１を二段形状で塩化ビニール管の２パターンの径に対応可能な構成とした場合を例に示したが、ホース接続部５１を三段形状又はそれ以上として塩化ビニール管の３パターン又はそれ以上のパターンの径に対応可能としてもよい。そして、これらについても、それぞれの円筒ストレート部に流出口５１ｂ方向から流入口５１ａに向かって広がる方向にテーパーをかけることで接続される管の挿入性が向上する。
【００３４】
さらに、図１１に示すように、波形状部１９と、円筒ストレート部２０と、円筒ストレート部２０の外径とは異なる外径の円筒ストレート部２０ａとを設け、これらが直列に接続してホース接続部５１を構成してもよい。この場合、上側（流入口側）から波形状部１９、円筒ストレート部２０ａ、円筒ストレート部２０の順に接続するとよい。
【００３５】
底板接続部５２は、外壁部５２ａと、壁板部１４と、引っ掛け部１７と、を有している。外壁部５２ａは、中空で、底板接続部５２の外壁を構成するものであり、側面視した形状が図６に示すようにホース接続部５１側に向かって縮径（換言すると底板１２に向かって拡径）するような等脚台形状に形成されている。また、外壁部５２ａの一端は、ホース接続部５１の他端、つまり流入口５１ａの開口周縁に連なっている。すなわち、底板接続部５２とホース接続部５１とは、第１の排水路として水が流れるように連通した状態になっている。なお、外壁部５２ａの他端は、開放されている。
【００３６】
壁板部１４は、一端が外壁部５２ａの内周面に接続され、他端が底板１２に向かって突出している。壁板部１４は、流入口５１ａの周囲に所定間隔で複数設置されている。また、壁板部１４は、他端が、外壁部５２ａの他端よりも外側に突出するようになっている。つまり、ソケット５０が取り付けられた状態において、外壁部５２ａの他端を底板１２の底板背面部１５の下面に当接することなく、壁板部１４の他端を底板１２の底板背面部１５の下面に当接するようにしている。こうすることで、底板１２の底板背面部１５の下面とソケット５０の外壁部５２ａの他端との間に、隙間部１６を設けることができる。この隙間部１６は、「第２の排水路」として機能する。
【００３７】
なお、図４では、各壁板部１４の形状が一枚板状であり、各壁板部１４の設置方向が放射状方向である場合を例に示しているが、形状および設置方向について特に限定するものではない。例えば、壁板部１４を上面から見たとき、壁板部１４の形状が、Ｖ字型であったり、＋型であったり、Ｗ型であったりしてもよい。また、ソケット５０を上から見たとき、各壁板部１４の設置方向が、放射状方向に直交する方向であってもよい。つまり、隙間部１６が形成でき、隙間部１６からドレン水を排水できればよく、壁板部１４の形状、設置方向については特に限定しない。
【００３８】
引っ掛け部１７は、一端が外壁部５２ａの内周面に接続され、他端が底板１２に向かって突出している。この引っ掛け部１７は、支持部１７ａ及び爪部１７ｂで構成され、穴部１３に挿入され、室外機１００の内側で、爪部１７ｂが穴部１３の周縁に引っかかることでソケット５０を底板１２に固定するものである。そのため、引っ掛け部１７の支持部１７ａは、壁板部１４よりも長く形成されている。爪部１７ｂは、支持部１７ａの先端外周側に外側に向かって突出するように設けられている。
【００３９】
ソケット５０の取り付けについて簡単に説明する。引っ掛け部１７の支持部１７ａの一部を爪部１７ｂとともに穴部１３に挿入すると、爪部１７ｂが穴部１３によって内側に押され、支持部１７ａが弾性変形する。その後、爪部１７ｂの穴部１３による押圧が解除されると、支持部１７ａも復元する。このとき、爪部１７ｂが、室外機１００の内部で穴部１３の周辺に引っ掛かることになる。こうすることで、ソケット５０が底板１２に取り付けられることになる。なお、引っ掛け部１７は、少なくとも２ヶ所に形成されていればよい。
【００４０】
図１２は、室外機１００のソケット５０の斜視図である。図１２に基づいて、引っ掛け部１７の別の構成について説明する。図１２に示すように、引っ掛け部１７の支持部１７ａには長穴１７ｃが設けてある。これにより、引っ掛け部１７がたわみやすくなり、取り付け性が向上する。長穴１７ｃは、スリット状に形成することが望ましいが、壁板部１４との関係で寸法を決定すればよく、具体的な形状及び大きさについて特に限定するものではない。
【００４１】
また、ソケット５０を底板１２に取り付ける際、壁板部１４の上端部（流入側）が底板１２の外側に接触し、引っ掛け部１７が底板１２の内側から引っかかることで、安定してソケット５０が底板１２に取り付くことになるが、爪部１７ｂの直下に壁板部１４の上端部（流入側）が配置されるとより安定して固定される。この場合、引っ掛け部１７の支持部１７ａに長穴１７ｃがないと、引っ掛け部１７の支持部１７ａと壁板部１４の交差する部分（以下交差部と称する）の排水ができず、氷が成長しやすくなってしまう。そこで、支持部１７ａに長穴１７ｃを設けるようにしている。
【００４２】
すなわち、引っ掛け部１７の長穴１７ｃを介して引っ掛け部１７が壁板部１４を跨ぐように設けられることになる。こうすることで、交差部に水が溜まっても長穴が１７ｃから排水することができ、交差部で氷が成長しにくいという効果が得られる。
【００４３】
隙間部１６は、壁板部１４をソケット５０の流入口５１ａの周囲に設け、その壁板部１４の他端を底板背面部１５の下面に突き当てることにより、意図的に５ｍｍ以上に形成されている。隙間部１６を形成したことにより、万が一、接続したホース部やソケット５０のドレン水排水路でドレン水が凍結し、逆流方向に氷が成長しても、室外機１００の内部に氷が浸入する前に、この隙間部１６からドレン水が外部に導かれて流れ出ることとなる。つまり、第１の排水路が氷によって閉塞したとしても、隙間部１６が第２の排水路として機能するので、ドレン水の排水を継続できる。よって、ドレン水の氷結による室外機１００の破損の可能性を大幅に低減することが可能になる。
【００４４】
図１３は、室外機１００の設置状態例を示す正面図である。図１３に基づいて、隙間部１６について説明する。空気調和機の室外機１００は、通常、図１３に示すように、据付台座１０１の上に脚部１１が固定されることで設置される。また、図１３に示すように、ソケット５０は、底板１２と据付台座１０１の下面との間の配置スペースに配置できなければならない。
【００４５】
ここでは、隙間部１６が５ｍｍ以上に形成されている場合を例に説明したが、隙間部１６については隙間が大きければ大きい方がより一層排水の効果が得られる。しかしながら、ソケット５０は配置スペースに配置できなければならないため、ソケット５０の全長は極力小さい方が好ましい。そのため、隙間部１６を大きくすればするほどソケット５０の全長が大きくなってしまうことになるので、ソケット５０の配置スペースやホース接続部５１の長さを考慮して隙間部１６は１５ｍｍ位までで形成することが好ましい。
【００４６】
また、ソケット５０を底板１２に固定すると、壁板部１４の他端が底板背面部１５の下面と接触することになるため、引っ掛け部１７が少なくとも２ヶ所あればソケット５０が底板１２に対して傾くことなく安定して取り付けることができる。なお、引っ掛け部１７は、対向位置に少なくとも２ヶ所形成されていることが好ましい。
【００４７】
先行技術文献として挙げた特許文献１の図４にも「隙間」が形成されていることが示されている。しかしながら、特許文献１の図４に示されている「隙間」は、ソケットを底板に嵌合させるための微小なものであり、図６に示す隙間部１６とは作用効果が全く異なっている。つまり、隙間部１６は、ソケット５０を底板１２に嵌合させるために形成されているものではなく、ドレン水排水路（第１の排水路）でドレン水が氷結した場合に、室外機１００の内部から流れようとするドレン水を、排水ホースを介さずとも室外機１００の外部に排水させるようにしたものである。
【００４８】
さらに、ソケット５０には、図７に示すようなリブ１８が設けられている。リブ１８は、ドレン水排水路（第１の排水路）の途中に設置されていればよく、ホース接続部５１及び底板接続部５２の少なくとも１つに設置されていればよい。リブ１８は、ドレン水排水路を横断するように設けられている。
【００４９】
市場において、底板に形成した穴部から鳥や小動物が室外機の内部に侵入し、そこに巣を作ることにより室外機が破損する事例がたびたび発生している。通常地域であれば、その穴部を塞ぐためにドレン水排水用ソケットを取り付けることで、鳥や小動物の室外機内部への侵入を大幅に抑制することができる。しかしながら、寒冷地の場合、これまでドレン水排水ホース接続用ソケットの使用を禁止していたため、底板の穴部からの鳥や小動物の侵入を抑制する有効な対策が無かったのが現実である。
【００５０】
そこで、ソケット５０では、ドレン水排水路の途中に流路を横断するリブ１８を設置したことにより、底板１２の穴部１３の一部を塞ぐようにしている。こうすることで、寒冷地においても、鳥や小動物の侵入スペースをなくすことができ、室外機１００の内部に巣を作られることを大幅に抑制することができる。なお、リブ１８の形状や個数、大きさを特に限定するものではなく、穴部１３の径や想定される鳥や小動物の大きさに応じて決定すればよい。また、リブ１８をソケット５０と別体にして、リブ１８をソケット５０に着脱自在にしておいてもよい。さらに、リブ１８の構成材料についても特に限定するものではない。
【００５１】
以上のように、室外機１００では、底板１２に取り付けた際に隙間部１６が形成できるソケット５０を備えているので、寒冷地においても使用することができ、ソケット５０のホース接続部５１をゴムチューブ、塩化ビニール管のいずれも装着可能な構成としたので、据付作業性が向上する。
【００５２】
実施の形態２．
図８は、本発明の実施の形態２に係る空気調和機の室外機（以下、室外機１００Ａと称する）の下部を拡大して示す背面図である。図８に基づいて、室外機１００Ａの構成について説明する。実施の形態２に係る空気調和機は、室外機１００Ａ及び室内機（図示省略）に搭載されている要素機器（圧縮機６、熱交換器１、減圧装置、熱交換器）が配管接続されることで冷凍サイクル運転を行うようになっている。なお、この実施の形態２では上述した実施の形態１との相違点を中心に説明するものとし、実施の形態１と同一作用である部分には、同一符号を付して説明を省略するものとする。
【００５３】
実施の形態１では、底板１２に形成する穴部１３を１ヶ所とし、ソケット５０の数を１個としたが、実施の形態２では、図８に示すように、穴部１３を底板１２の複数箇所に設け、ソケット５０を複数個使用するようにしている。これにより、ドレン水の凍結で一ヶ所が完全に詰まってしまった場合でも、他の穴部１３から排水が可能となり、凍結抑制の確実性が増加する効果がある。ソケット５０の複数個使用の場合についても、底板１２に穴部１３に向かって下り傾斜がついていると長時間水が滞留することがなく凍結を抑制できるので、より一層その効果が増す。
【００５４】
以上のように、室外機１００Ａでは、実施の形態１に係る空気調和機の室外機１００と同様に、底板１２に取り付けた際に隙間部１６が形成できるソケット５０を備えているので、寒冷地においても使用することができ、ソケット５０のホース接続部５１をゴムチューブ、塩化ビニール管のいずれも装着可能な構成としたので、据付作業性が向上する。さらに、穴部１３を複数形成しているので、凍結抑制の確実性が増加する。
【００５５】
実施の形態３．
図９は、本発明の実施の形態３に係る空気調和機の室外機（以下、室外機１００Ｂと称する）の底板上方を示す斜視図である。図９に基づいて、室外機１００Ｂの構成について説明する。実施の形態３に係る空気調和機は、室外機１００Ｂ及び室内機（図示省略）に搭載されている要素機器（圧縮機６、熱交換器１、減圧装置、熱交換器）が配管接続されることで冷凍サイクル運転を行うようになっている。なお、この実施の形態３では上述した実施の形態１との相違点を中心に説明するものとし、実施の形態１と同一作用である部分には、同一符号を付して説明を省略するものとする。
【００５６】
実施の形態３では、底板１２上にヒーター２１を設けるようにしている。これにより、ヒーター２１の発熱を底板１２に伝熱させることでドレン水の凍結を抑制している。よって、室外機１００Ｂでは、底板１２の穴部１３→ソケット５０→排水ホースの順での排水より確実に行うことができる。
【００５７】
以上のように、室外機１００Ｂでは、実施の形態１に係る空気調和機の室外機１００と同様に、底板１２に取り付けた際に隙間部１６が形成できるソケット５０を備えているので、寒冷地においても使用することができ、ソケット５０のホース接続部５１をゴムチューブ、塩化ビニール管のいずれも装着可能な構成としたので、据付作業性が向上する。さらに、ヒーター２１を設けているので、通常排水の確実性が増加する。なお、実施の形態２に、ヒーター２１を設けるようにしてもよい。
【符号の説明】
【００５８】
１  熱交換器、１ａ  側面側平面部、１ｂ  角部、１ｃ  背面側平面部、２  プロペラファン、３  モーター、４  モーターサポート、５  送風機室、６  圧縮機、７  冷媒配管、８  電気品、９  機械室、１０  セパレーター、１１  脚部、１２  底板、１３  穴部、１４  壁板部、１５  底板背面部、１６  隙間部、１７  引っ掛け部、１７ａ  支持部、１７ｂ  爪部、１７ｃ  長穴、１８  リブ、１９  波形状部、２０  円筒ストレート部、２０ａ  円筒ストレート部、２１  ヒーター、３１  天面パネル、３２  前面パネル、３３  側面パネル、５０  ソケット、５１  ホース接続部、５１ａ  流入口、５１ｂ  流出口、５２  底板接続部、５２ａ  外壁部、１００  室外機、１００Ａ  室外機、１００Ｂ  室外機、１０１  据付台座。
【図１】
2014157008.tif 000003
【図２】
2014157008.tif 000004
【図３】
2014157008.tif 000005
【図４】
2014157008.tif 000006
【図５】
2014157008.tif 000007
【図６】
2014157008.tif 000008
【図７】
2014157008.tif 000009
【図８】
2014157008.tif 000010
【図９】
2014157008.tif 000011
【図１０】
2014157008.tif 000012
【図１１】
2014157008.tif 000013
【図１２】
2014157008.tif 000014
【図１３】
2014157008.tif 000015